(57)【要約】【課題】調整ダイヤルを外郭ケースへ保持する際に、調整ダイヤル単品のみで安定した保持を可能にする熱動形過負荷継電器を提供する。【解決手段】外郭ケース１に設けられた調整ダイヤル挿入穴１ｂに、整定電流の調整をするカム付の調整ダイヤル９を備えた熱動形過負荷継電器において、前記調整ダイヤル９又は調整ダイヤル挿入穴１ｂの一方に圧入部９ｂを設け、他方に前記圧入部９ｂが圧入保持される係止部１ｃを設ける。【選択図】図４
2009224311.tif 000002
【特許請求の範囲】
【請求項１】
外郭ケースと、外郭ケースに設けられた調整ダイヤル挿入穴に挿入され整定電流の調整をするカム付の調整ダイヤルとを備えた熱動形過負荷継電器において、
前記調整ダイヤル又は調整ダイヤル挿入穴の一方に圧入部を設け、他方に前記圧入部が圧入保持される係止部を設けたことを特徴とする熱動形過負荷継電器。
【請求項２】
請求項１に記載の熱動形過負荷継電器において、前記圧入部を調整ダイヤル側に設け、係止部を外郭ケースの調整ダイヤル挿入穴側に設けたことを特徴とする熱動形過負荷継電器。
【請求項３】
請求項２に記載の熱動形過負荷継電器において、調整ダイヤルに設けた圧入部は、外郭ケースの係止部に接する調整ダイヤルの外周上に設けた突起であることを特徴とする熱動形過負荷継電器。
【請求項４】
請求項２に記載の熱動形過負荷継電器において、前記外郭ケース側に設けた係止部を、面取り部（傾斜部）としたことを特徴とする熱動形過負荷継電器。
【請求項５】
請求項３に記載の熱動形過負荷継電器において、調整ダイヤルの外周上に設けた突起は、全周に設けられていることを特徴とする熱動形過負荷継電器。
【請求項６】
請求項３に記載の熱動形過負荷継電器において、調整ダイヤルの圧入部の突起は、外周上に等間隔に３箇所以上設けられていることを特徴とする熱動形過負荷継電器。
【請求項７】
請求項２に記載の熱動形過負荷継電器において、調整ダイヤル挿入穴を三角形状とし、調整ダイヤル挿入穴の調整ダイヤル接触面を、前記外郭ケース側に設けた係止部としたことを特徴とする熱動形過負荷継電器。
【請求項８】
請求項７に記載の熱動形過負荷継電器において、前記調整ダイヤル接触面に接触するように、調整ダイヤルの軸部を前記調整ダイヤル接触面に接触させる大きさとしたことを特徴とする熱動形過負荷継電器。
【発明の詳細な説明】
【技術分野】
【０００１】
本発明は、電磁接触器などに組み合わせて使用する熱動形過負荷継電器（サーマルリレー）に関し、詳しくはその調整ダイヤルの保持構造に係わる。
【背景技術】
【０００２】
まず、頭記した熱動形過負荷継電器の従来構造を図１２で説明する。図１２において、１は樹脂モールド製の外郭ケース、２は主回路に接続したヒータの発熱を受けて湾曲する主バイメタル、３は主バイメタル２の自由端に連係させたシフター、４はシフター３の変位に従動する釈放レバー、５は接点開閉用の反転動作機構、６は可動接点６ａ及び固定接点６ｂからなる常閉接点、７は可動接触子片に設けられた固定接点７ａ及び可動接点７ｂからなる常開接点、８は下端が外郭ケース１に設けたケース溝１ａに支持されるとともに釈放レバー４の基端に支点４ａで連結された調整リンク、９は頭部９ｃと軸部９ｇとからなり軸部９ｇの下端にはカム面９ａを有する調整ダイヤルであり、該カム面９ａに前記調整リンク８の上端８ａが当接している。なお、電流調整穴９ｄは整定電流を調整するためにドライバーを挿入するための穴であり、電流設定目盛り９ｅは外郭ケース１側に設けた表示値に合わせるための目盛りである。ここで前記反転動作機構５は、一端を略コ字状の支持片１０のＶ溝１０ａに係止支持した揺動式可動板１１と、該可動板１１の先端部１１ａと支持片１０のばね掛け部１０ｂとの間に張架した引張りばね１２と、可動板１１から背後に向けてＬ字形に突き出した絶縁物製の常開接点用駆動レバー１３からなり、可動板１１の先端部には常閉接点６の可動接点６ａが取り付けてある。また、常閉接点６の固定接点６ｂは外郭ケース１の底部に一端を固定して水平方向に敷設した板ばね構造の接点支持片１４に取り付けられている。
【０００３】
前記引張りばね１２は、ばね鋼材の線条にコイル状ばね部１２ａと引張りばね１２の中央部に突出した突起部１２ｂを形成するとともに両端にフック部を形成したものである。かかる構成で、図９に示す定常状態では、反転動作機構５の可動板１１が引張りばね１２のばね力を受けて中立位置から時計方向に傾動していて、常閉接点６の可動接点６ａを固定接点６ｂに押し付けて接点をＯＮ状態に保持している。なお、この状態では常開接点７はＯＦＦである。
ここで、主回路に過負荷電流が流れると主バイメタル２が加熱湾曲し、その自由端の変位によりシフター３が右方向に移動する。これにより、釈放レバー４が支点４ａを中心にして揺動する。このとき、反転動作機構５の引張りばね１２の突起部１２ｂを上方に突き上げるとともに、引張りばね１２の変位が可動板１１の死点を超えると可動板１１が急速に反転駆動して、常閉接点６の可動接点６ａが固定接点６ｂから開離するとともに駆動レバー１３により可動接点７ｂが取り付けられた可動接触子片が押圧されて可動接点７ｂが固定接点７ａに接触して接点をＯＮに切換える。（例えば、特許文献１参照）
次に、熱動形過電流継電器の整定電流値の調整方法を図１２に基づいて説明する。図１２において調整ダイヤル９を回すと、カム面９ａに当接している上端８ａを有する調整リンク８が外郭ケース１のケース溝１ａを支点として変位する。これに伴って調整リンク８に連結された釈放レバー４も変位して移動し、釈放レバー４とシフター３の先端との間のギャップを変化させることができる。
【０００４】
ここで、調整ダイヤル９を外郭ケース１に設けた調整ダイヤル挿入穴１ｂへ保持させる方法を図１３に基づいて説明する。図１３において、調整ダイヤル９を所定の組み込み位置に保持させるために、調整ダイヤル９の周面と外郭ケース１との間には、図１３で示すようにバネ線材（例えばピアノ線）を図示のような形状に曲げ加工して撓ませた線バネ１５を介装し、そのバネ反力で調整ダイヤル９を定位置に押圧保持するようにしている。また、特許文献２には、ハンドル連動金具と押圧ばねにより調整ダイヤルを保持する構成が開示されている。
【特許文献１】特開２００１−１６０３４６号公報
【特許文献２】実開昭５３−９５１６８号公報
【発明の開示】
【発明が解決しようとする課題】
【０００５】
ところで、前記した従来の熱動形過負荷継電器では、調整ダイヤル９を定位置に保持するめに、線バネ１５もしくは他部品が必要であり、製品組立での部品点数，組立工数が多くなり、コストアップの問題があった。
本発明は上記の点に鑑みなされたものであり、部品点数を増やすことなく、調整ダイヤル９を外郭ケース１に安定して保持ができるように調整ダイヤル９の保持構造を改良した熱動形過負荷継電器を提供することを目的とする。
【課題を解決するための手段】
【０００６】
上記目的を達成するために、本発明によれば、外郭ケースと、外郭ケースに設けられた調整ダイヤル挿入穴に挿入され整定電流の調整をするカム付の調整ダイヤルとを備えた熱動形過負荷継電器において、前記調整ダイヤル又は調整ダイヤル挿入穴の一方に圧入部を設け、他方に前記圧入部が圧入保持される係止部を設けるようにする（請求項１）。また上記熱動形過負荷継電器において、次記のような具体的態様で構成することができる。
（１）前記圧入部を調整ダイヤル側に設け、係止部を外郭ケースの調整ダイヤル挿入穴に設ける（請求項２）。
（２）調整ダイヤルに設けた圧入部は、外郭ケースの調整ダイヤル挿入穴の係止部に接する調整ダイヤルの外周上に突起を設ける（請求項３）。
（３）前記ケース側に設けた係止部を、面取り部（傾斜部）とする（請求項４）。
（４）調整ダイヤルの外周上に設けた突起を全周に設ける（請求項６）。
（５）調整ダイヤルに設けた圧入部の突起を外周上に等間隔に３箇所以上設ける（請求項５）。
（６）調整ダイヤル挿入穴を三角形状とし、調整ダイヤル挿入穴の調整ダイヤル接触面を外郭ケース側に設けた係止部とする（請求項７）。
（７）前記調整ダイヤル接触面に接触するように、調整ダイヤルの軸部を、前記調整ダイヤル接触面に接触させる大きさとする（請求項８）。
【発明の効果】
【０００７】
上記の構成によれば、従来、調整ダイヤルを保持するためにバネ部材もしくは他部品を用いて保持していたが、調整ダイヤル単品のみで定位置に安定保持することが可能となり、これにより部品点数，組立工数を削減してコストダウンが図れる。
【発明を実施するための最良の形態】
【０００８】
以下、本発明を実施する具体的な形態を図１〜１１に示す実施例に基づいて説明する。
図１は、本発明の熱動形過負荷継電器の調整ダイヤルを示した正面図、図２は図１に示した調整ダイヤルの斜視図、図３は図２に示した圧入部（突起）の拡大図である。
図４は、本発明の調整ダイヤルを外郭ケースに設けた調整ダイヤル挿入穴へ圧入保持した組込状態を示した断面図、図５は図４に示した調整ダイヤルの圧入部と外郭ケースの係止部による係合状態の拡大図である。  
【０００９】
すなわち、図示実施例においては、調整ダイヤル９の軸部９ｇの外周上には外周から突出するように突起からなる圧入部９ｂが設けられ、調整ダイヤル挿入穴１ｂの下端部に前記圧入部９ｂが圧入保持される係止部１ｃを設けるようにしている。なお、整定電流の調整においては調整ダイヤル９の頭部９ｃに設けた電流調整穴９ｄにドライバーを挿入し、調整ダイヤル９を回転させることで整定電流を調整する。また整定電流の設定値を表すために調整ダイヤル９の頭部９ｃに設けられた電流設定目盛り９ｅを、外郭ケース１側に設けた図示しない表示値に合わせるようにドライバーを回転させる。
【００１０】
図４に示すように、調整ダイヤル９は、調整ダイヤル９の外周上に設けた圧入部９ｂを外郭ケース１に設けられた調整ダイヤル挿入穴１ｂへ調整ダイヤル９を圧入することにより外郭ケース１の調整ダイヤル挿入穴１ｂに挿入される。その際、調整ダイヤル挿入穴１ｂの下端には前記圧入部９ｂが圧入保持されるとともに、調整ダイヤル９の抜け止めとすることができる。圧入保持された調整ダイヤル９の圧入部９ｂは、係止部９ｃに対してＦ方向に荷重が発生するため、調整ダイヤル９はガタが無く定位置に安定して保持することができる。また、図５に示すように、外郭ケース１の係止部１ｃに面取り部（傾斜部）１ｄを形成するようにすれば、調整ダイヤル９の調整ダイヤル挿入穴１ｂへの挿入が容易となる。
また、図６，図７は、本発明の第２，第３の実施例を示すものであり、図６，図７は調整ダイヤルを外郭ケースに設けた調整ダイヤル挿入穴へ圧入保持した組込状態を示した断面図である。
【００１１】
上記実施例では調整ダイヤル９の外周上に圧入部９ｂを設け、外郭ケース１に設けられた調整ダイヤル挿入穴１ｂの下端部側に係止部を設けているが、図６，図７に示すように外郭ケース１に設けられた調整ダイヤル挿入穴１ｂの下端部の係止部１ｃに調整ダイヤル９の圧入部９ｂと同じような圧入部を設け、調整ダイヤル９側に係止部９ｆを設けるようにしてもよい。
【００１２】
図８は、本発明の第４の実施例を示す調整ダイヤル９であり、調整ダイヤル９の外周上に本実施例では３箇所以上からなる圧入部９ｂを設けたものである。これにより調整ダイヤル９の外郭ケース１に設けた調整ダイヤル挿入穴１ｂへの圧入が容易に行える。なお、調整ダイヤル９を外郭ケース１の調整ダイヤル挿入穴１ｂへ圧入する方法は、図４の実施例と同じである。
【００１３】
図９から図１１は、本発明のその他の実施例を示すものである。
図９は本発明のその他の実施例を示す調整ダイヤルの斜視図、図１０（ａ）はその他の実施例を示す外郭ケースの斜視図、図１０（ｂ）は図１０（ａ）に示した外郭ケースの平面図、図１１は本発明のその他の実施例を示す調整ダイヤルを外郭ケースに設けた調整ダイヤル挿入穴へ圧入保持した組込状態を示した断面図である。
【００１４】
すなわち図示実施例においては、調整ダイヤル９の軸部９ｇの外周上には外周から突出するように突起からなる圧入部９ｂが設けられる。ここで、図９に示した調整ダイヤル９の軸部９ｇは、図１に示した調整ダイヤル９の軸部９ｇのように径寸法を小さくしても良いし、調整ダイヤル９の頭部９ｃと同等の径寸法でも良い。また図１０（ａ），（ｂ）に示した外郭ケース１の調整ダイヤル挿入穴１ｂは、調整ダイヤル９の軸部９ｇが外郭ケース１に接する調整ダイヤル接触面１ｅの穴形状を円弧をもった三角形状とする。なお本実施例では調整ダイヤル挿入穴の調整ダイヤル接触面１ｅの穴形状を三角形状に限定しているが、多角形の挿入穴でも良い。
【００１５】
図１１に示すように、調整ダイヤル９は、調整ダイヤル９の圧入部９ｂを外郭ケース１に設けた調整ダイヤル挿入穴１ｂへ調整ダイヤル９を挿入することにより、外郭ケース１に設けた調整ダイヤル挿入穴１ｂの三角形状の穴にした調整ダイヤル接触面１ｅに調整ダイヤル９が圧入される。その際、調整ダイヤル挿入穴１ｂの調整ダイヤル接触面１ｅの下端には前記圧入部９ｂが圧入保持されるとともに、調整ダイヤル９の抜け止めとすることができる。それにより、調整ダイヤル９は３点により保持され、ガタが無く定位置に安定して保持することはできる。また、調整ダイヤル９の軸部９ｇは、外郭ケース１に設けた調整ダイヤル挿入穴１ｂの三角形状の穴にした調整ダイヤル接触面と接触し、摩擦抵抗が大きくなっていることから、調整ダイヤル９の誤回転防止の効果もある。
【図面の簡単な説明】
【００１６】
【図１】本発明の実施例を示す調整ダイヤルを示す正面図
【図２】図１に示す調整ダイヤルの斜視図
【図３】図２に示す調整ダイヤルの圧入部の拡大図
【図４】本発明の実施の形態を示す調整ダイヤルの組込状態を示す断面図
【図５】図４に示す調整ダイヤルの圧入部と外郭ケースの係止部の係合状態を示す拡大図
【図６】本発明の第２の実施の形態を示す調整ダイヤルの断面図
【図７】本発明の第３の実施の形態を示す調整ダイヤルの断面図
【図８】本発明の第４の実施の形態を示す調整ダイヤルの斜視図
【図９】本発明の第５の実施の形態を示す調整ダイヤルの斜視図
【図１０】本発明の第５の実施の形態を示す外郭ケースで、（ａ）は外郭ケースの斜視図，（ｂ）は（ａ）の平面図
【図１１】図９，図１０に示す調整ダイヤルと外郭ケースの係合状態を示す断面図
【図１２】従来例を示す熱動形過負荷継電器の内部構造図
【図１３】従来例を示す調整ダイヤルの固定方法を示す斜視図
【符号の説明】
【００１７】
１    外郭ケース
１ａ  ケース溝
１ｂ  調整ダイヤル挿入穴
１ｃ  係止部
１ｄ  面取り部（傾斜部）
１ｅ  調整ダイヤル接触面
２    主バイメタル
３    シフター
４    釈放レバー
４ａ  支点
５    反転動作機構
６    常閉接点
６ａ  可動接点
６ｂ  固定接点
７    常開接点
７ａ  固定接点
７ｂ  可動接点
８    調整リンク
８ａ  上端
９    調整ダイヤル
９ａ  カム面
９ｂ  圧入部（突起）
９ｃ  頭部
９ｄ  電流調整穴
９ｅ  電流設定目盛り
９ｆ  係止部
９ｇ  軸部
１０    支持片
１０ａ  Ｖ溝
１１    揺動式可動板
１１ａ  先端部
１２    引張りばね
１２ａ  コイル部
１２ｂ  突起部
１３    常開接点用駆動レバー
１４    接点支持片
１５    線バネ
【図１】
2009224311.tif 000003
【図２】
2009224311.tif 000004
【図３】
2009224311.tif 000005
【図４】
2009224311.tif 000006
【図５】
2009224311.tif 000007
【図６】
2009224311.tif 000008
【図７】
2009224311.tif 000009
【図８】
2009224311.tif 000010
【図９】
2009224311.tif 000011
【図１０】
2009224311.tif 000012
【図１１】
2009224311.tif 000013
【図１２】
2009224311.tif 000014
【図１３】
2009224311.tif 000015